【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
第１のインクと当該第１のインクよりも浸透性の高い第２のインクを少なくとも吐出するための記録ヘッドを第１の方向および該第１の方向とは反対の第２の方向へ走査させながら記録媒体に画像の記録を行うインクジェット記録装置であって、
前記第１および第２の方向と交差する方向に前記記録媒体を搬送するための搬送手段と、
前記記録媒体の第１の領域に対して、前記第１のインクを吐出する前に前記第２のインクを吐出するための前記第１の方向の記録走査と前記第２のインクを吐出する前に前記第１のインクを吐出するための前記第２の方向の記録走査を交互に実行し、且つ前記第１の領域よりも搬送方向上流側にある第２の領域に対して、前記第１の方向の記録走査を複数回連続して実行する記録制御部と、
を具備することを特徴とするインクジェット記録装置。
【請求項２】
前記第１の方向の記録走査で記録されるインクの定着時間は、前記第２の方向の記録走査で記録されるインクの定着時間よりも短いことを特徴とする請求項１に記載のインクジェット記録装置。
【請求項３】
前記第１のインクは、ブラックの顔料を含有するブラックインクであり、
前記第２のインクは、前記ブラックとは異なる色の染料を含有するカラーインクが含まれていることを特徴とする請求項１または２に記載のインクジェット記録装置。
【請求項４】
前記第１のインクは、ブラックインクであり、前記第２のインクは、該ブラックインクと化学反応するカラーインクであることを特徴とする請求項１乃至３のいずれかに記載のインクジェット記録装置。
【請求項５】
第１のインクと当該第１のインクよりも浸透性の高い第２のインクを少なくとも吐出するための記録ヘッドを第１の方向および該第１の方向とは反対の第２の方向へ走査させながら記録媒体に画像の記録を行うインクジェット記録方法であって、
前記第１および第２の方向と交差する方向に前記記録媒体を搬送する工程と、
前記記録媒体の第１の領域に対して、前記第１のインクを吐出する前に前記第２のインクを吐出するための前記第１の方向の記録走査と前記第２のインクを吐出する前に前記第１のインクを吐出するための前記第２の方向の記録走査を交互に実行し、且つ前記第１の領域よりも搬送方向上流側にある第２の領域に対して、前記第１の方向の記録走査を複数回連続して実行する工程と、
を有すること特徴とするインクジェット記録方法。
【請求項６】
記録媒体に付与する順番に応じて定着時間が異なるような複数種類のインクを吐出可能な記録ヘッドを用いて前記記録媒体に画像を記録するインクジェット記録装置であって、
前記記録ヘッドを第１の方向に走査させながら前記記録媒体にインクを付与する往路走査記録と、前記記録ヘッドを前記第１の方向とは反対の方向の第２の方向に走査させながら前記記録媒体にインクを付与する復路走査記録を実行することで、前記画像の記録を行う記録制御部と、
前記往路走査記録あるいは復路走査記録の後に実行され、前記第１および第２の方向とは交差する方向に前記記録媒体を搬送する搬送部と、
前記記録制御部によって記録された画像が前記記録媒体に定着するまでの時間、前記記録媒体を待機させる手段と
を備え、
画像の記録が開始されてから画像が完全に定着するまでの時間が、前記往路記録走査および前記復路記録走査を完全に交互に実行して画像を記録した場合の時間に比べて短くなるように、前記記録制御部が前記往路記録走査と前記復路記録走査を実行する順番が設定されていることを特徴とするインクジェット記録装置。
【請求項７】
第１のインクと当該第１のインクよりも浸透性の高い第２のインクを少なくとも吐出するための記録ヘッドを第１の方向および該第１の方向とは反対の第２の方向へ走査させながら記録媒体に画像の記録を行うインクジェット記録装置であって、
前記第１および第２の方向と交差する方向に前記記録媒体を搬送するための搬送手段と、
前記記録媒体の第１の領域に対して、前記第１のインクを吐出する前に前記第２のインクを吐出するための前記第１の方向の記録走査と前記第２のインクを吐出する前に前記第１のインクを吐出するための前記第２の方向の記録走査とを交互に実行し、且つ前記第１の領域よりも搬送方向上流側にある第２の領域に対して、少なくとも前記第１の方向の記録走査を実行する記録制御手段とを具え、
前記記録制御手段は、所定の条件を満たす場合には前記第２の領域に対して前記第１の方向の記録走査を複数回連続して実行し、前記所定の条件を満たさない場合には前記第２の領域に対して前記第１の方向の記録走査と第２方向の記録走査を交互に実行することを特徴とするインクジェット記録装置。
【請求項８】
第１のインクと当該第１のインクよりも浸透性の高い第２のインクを少なくとも吐出するための記録ヘッドを第１の方向および該第１の方向とは反対の第２の方向へ走査させながら、画像データに基づいて記録媒体に画像の記録を行うインクジェット記録装置であって、
前記第１および第２の方向と交差する方向に前記記録媒体を搬送するための搬送手段と、
前記第１のインクを吐出する前に前記第２のインクを吐出するための前記第１の方向の記録走査と前記第２のインクを吐出する前に前記第１のインクを吐出するための前記第２の方向の記録走査とを交互に実行する双方向記録モードと、前記第１の方向の記録走査を複数回連続して実行する片方向記録モードとを実行可能な記録制御手段とを具え、
前記記録制御手段は、前記記録媒体の第１の領域に対して、前記画像データに関わらず、前記双方向記録モードを実行し、且つ前記第１の領域よりも搬送方向上流側にある第２の領域に対して、前記画像データに応じて決定される前記双方向記録モードあるいは前記片方向記録モードを実行することを特徴とするインクジェット記録装置。
【手続補正２】
【補正対象書類名】明細書
【補正対象項目名】００１４
【補正方法】変更
【補正の内容】
【００１４】
そのために本発明においては、第１のインクと当該第１のインクよりも浸透性の高い第２のインクを少なくとも吐出するための記録ヘッドを第１の方向および該第１の方向とは反対の第２の方向へ走査させながら記録媒体に画像の記録を行うインクジェット記録装置であって、前記第１および第２の方向と交差する方向に前記記録媒体を搬送するための搬送手段と、前記記録媒体の第１の領域に対して、前記第１のインクを吐出する前に前記第２のインクを吐出するための前記第１の方向の記録走査と前記第２のインクを吐出する前に前記第１のインクを吐出するための前記第２の方向の記録走査を交互に実行し、且つ前記第１の領域よりも搬送方向上流側にある第２の領域に対して、前記第１の方向の記録走査を複数回連続して実行する記録制御部と、を具備することを特徴とする。
【手続補正３】
【補正対象書類名】明細書
【補正対象項目名】００１５
【補正方法】変更
【補正の内容】
【００１５】
また、第１のインクと当該第１のインクよりも浸透性の高い第２のインクを少なくとも吐出するための記録ヘッドを第１の方向および該第１の方向とは反対の第２の方向へ走査させながら記録媒体に画像の記録を行うインクジェット記録方法であって、前記第１および第２の方向と交差する方向に前記記録媒体を搬送する工程と、前記記録媒体の第１の領域に対して、前記第１のインクを吐出する前に前記第２のインクを吐出するための前記第１の方向の記録走査と前記第２のインクを吐出する前に前記第１のインクを吐出するための前記第２の方向の記録走査を交互に実行し、且つ前記第１の領域よりも搬送方向上流側にある第２の領域に対して、前記第１の方向の記録走査を複数回連続して実行する工程と、を有すること特徴とする。
【手続補正４】
【補正対象書類名】明細書
【補正対象項目名】００１６
【補正方法】変更
【補正の内容】
【００１６】
また、記録媒体に付与する順番に応じて定着時間が異なるような複数種類のインクを吐出可能な記録ヘッドを用いて前記記録媒体に画像を記録するインクジェット記録装置であって、前記記録ヘッドを第１の方向に走査させながら前記記録媒体にインクを付与する往路走査記録と、前記記録ヘッドを前記第１の方向とは反対の方向の第２の方向に走査させながら前記記録媒体にインクを付与する復路走査記録を実行することで、前記画像の記録を行う記録制御部と、前記往路走査記録あるいは復路走査記録の後に実行され、前記第１および第２の方向とは交差する方向に前記記録媒体を搬送する搬送部と、前記記録制御部によって記録された画像が前記記録媒体に定着するまでの時間、前記記録媒体を待機させる手段とを備え、画像の記録が開始されてから画像が完全に定着するまでの時間が、前記往路記録走査および前記復路記録走査を完全に交互に実行して画像を記録した場合の時間に比べて短くなるように、前記記録制御部が前記往路記録走査と前記復路記録走査を実行する順番が設定されていることを特徴とする。
【手続補正５】
【補正対象書類名】明細書
【補正対象項目名】００１７
【補正方法】変更
【補正の内容】
【００１７】
さらに、第１のインクと当該第１のインクよりも浸透性の高い第２のインクを少なくとも吐出するための記録ヘッドを第１の方向および該第１の方向とは反対の第２の方向へ走査させながら記録媒体に画像の記録を行うインクジェット記録装置であって、前記第１および第２の方向と交差する方向に前記記録媒体を搬送するための搬送手段と、前記記録媒体の第１の領域に対して、前記第１のインクを吐出する前に前記第２のインクを吐出するための前記第１の方向の記録走査と前記第２のインクを吐出する前に前記第１のインクを吐出するための前記第２の方向の記録走査とを交互に実行し、且つ前記第１の領域よりも搬送方向上流側にある第２の領域に対して、少なくとも前記第１の方向の記録走査を実行する記録制御手段とを具え、前記記録制御手段は、所定の条件を満たす場合には前記第２の領域に対して前記第１の方向の記録走査を複数回連続して実行し、前記所定の条件を満たさない場合には前記第２の領域に対して前記第１の方向の記録走査と第２方向の記録走査を交互に実行することを特徴とする。
さらにまた、第１のインクと当該第１のインクよりも浸透性の高い第２のインクを少なくとも吐出するための記録ヘッドを第１の方向および該第１の方向とは反対の第２の方向へ走査させながら、画像データに基づいて記録媒体に画像の記録を行うインクジェット記録装置であって、前記第１および第２の方向と交差する方向に前記記録媒体を搬送するための搬送手段と、前記第１のインクを吐出する前に前記第２のインクを吐出するための前記第１の方向の記録走査と前記第２のインクを吐出する前に前記第１のインクを吐出するための前記第２の方向の記録走査とを交互に実行する双方向記録モードと、前記第１の方向の記録走査を複数回連続して実行する片方向記録モードとを実行可能な記録制御手段とを具え、前記記録制御手段は、前記記録媒体の第１の領域に対して、前記画像データに関わらず、前記双方向記録モードを実行し、且つ前記第１の領域よりも搬送方向上流側にある第２の領域に対して、前記画像データに応じて決定される前記双方向記録モードあるいは前記片方向記録モードを実行することを特徴とする。